(57)【要約】【課題】人物の部位の接近によって操作する表示装置の操作性を向上させる。【解決手段】コンテンツを表示する表示パネル５０と、表示パネル５０の周囲に配置され、人物の部位の接近を検出する検出センサー６０と、検出センサー６０の近傍に配置され、検出センサー６０が部位を検出したことを発光により示す表示ライト５５とを備えた表示装置の制御方法は、コンテンツを表示パネル５０に表示する工程と、検出センサー６０が人物の部位の接近を検出する工程と、検出センサー６０が部位を検出した場合、検出センサー６０の近傍の表示ライト５５の発光量を増加させる工程と、部位が更に接近した場合、表示パネル５０の一方の側から対向する他方の側に向かって部位を案内する案内バー９５を表示パネル５０に表示する工程と、一方の側から他方の側への部位の移動に応じて表示パネル５０に表示するコンテンツの表示を変更させる工程と、を備える。【選択図】図４
2010205003.tif 000002
【特許請求の範囲】
【請求項１】
コンテンツを表示する表示手段と、前記表示手段の周囲に配置され、人物の部位の接近を検出する検出手段と、前記検出手段の近傍に配置され、前記検出手段が前記部位を検出したことを発光により示す発光手段とを備えた表示装置の制御方法であって、
前記コンテンツを前記表示手段に表示する工程と、
前記検出手段が前記人物の部位の接近を検出する工程と、
前記部位の接近に応じて前記検出手段の近傍に配置された前記発光手段の発光量を増加させる工程と、
前記部位が更に接近した場合、前記表示手段において前記検出手段が配置された一方の側から対向する他方の側に向かって前記部位を案内する案内バーを前記表示手段に表示する工程と、
前記一方の側から前記他方の側への前記部位の移動に応じて前記表示手段に表示されている前記コンテンツを変更する工程と、を備えることを特徴とする表示装置の制御方法。
【発明の詳細な説明】
【技術分野】
【０００１】
本発明は、コンテンツを表示する表示装置の制御方法に関する。
【背景技術】
【０００２】
デジタルカメラ等の入力機器から入力された観賞用画像を表示する装置として電子写真立てが知られている。このような電子写真立てを操作する方法として、下記特許文献１に示すように、画面とユーザーとの間の距離に応じて表示画像の大きさを変える方法が提案されており、このような方法を電子写真立てに適用することで、電子写真立てに内蔵されたセンサーがユーザーの位置や行動を検出し、検出した情報に応じて電子写真立てが表示する画像の大きさを変更することができる。
【先行技術文献】
【特許文献】
【０００３】
【特許文献１】特開平１１−２３８１２４号公報
【発明の概要】
【発明が解決しようとする課題】
【０００４】
しかしながら、ユーザーが電子写真立てに対して自身の位置を移動したり、手をかざしたりした場合、電子写真立てのセンサーがユーザーの行動を検出したか、否かは、行動に応じた操作が実行されることが確認できるまでわからなかった。加えて、ユーザー自身の位置や行動により電子写真立てに対して所望の操作を行いたい場合、ユーザーは自身の位置を変えたり、所定の行動を行ったりする必要があるが、これらを行うタイミングがわからないため、同じ行動を繰り返したり、途中で止めたりすることにより、所望の操作とは異なった操作が実行されたりした。このようなことから、ユーザーの位置や行動を検出して操作する方法は、ユーザーに対して使い勝手が悪いという印象を与えた。
【課題を解決するための手段】
【０００５】
本発明は、上述の課題の少なくとも一部を解決するためになされたものであり、以下の形態または適用例として実現することが可能である。
【０００６】
［適用例１］
本適用例にかかる表示装置の制御方法は、コンテンツを表示する表示手段と、前記表示手段の周囲に配置され、人物の部位の接近を検出する検出手段と、前記検出手段の近傍に配置され、前記検出手段が前記部位を検出したことを発光により示す発光手段とを備えた表示装置の制御方法であって、前記コンテンツを前記表示手段に表示する工程と、前記検出手段が前記人物の部位の接近を検出する工程と、前記部位の接近に応じて前記検出手段の近傍に配置された前記発光手段の発光量を増加させる工程と、前記部位が更に接近した場合、前記表示手段において前記検出手段が配置された一方の側から対向する他方の側に向かって前記部位を案内する案内バーを前記表示手段に表示する工程と、前記一方の側から前記他方の側への前記部位の移動に応じて前記表示手段に表示されている前記コンテンツを変更する工程と、を備えることを特徴とする。
【０００７】
このような方法によれば、コンテンツを表示する表示手段の周囲に配置された検出手段が、人物の部位の接近を検出した場合、この検出手段の近傍に配置された発光手段の発光量が増加し、部位が更に接近した場合、表示手段において検出手段が配置された一方の側から対向する他方の側に向かって部位を案内する案内バーが表示される。この案内バーに従い部位が移動することで、部位の移動に応じて表示手段に表示されているコンテンツが変更される。従って、表示装置に対して所望の操作をすべく人物が部位を接近させた場合、人物は、検出手段が部位を検出したことを発光手段の発光量の変化で視認できることに加え、次に行うべき動作が表示手段に案内されるため、部位を繰り返して接近させたり移動させたりすることによる表示装置の誤動作を回避できることから、表示装置の操作性を向上させることができる。
【図面の簡単な説明】
【０００８】
【図１】画像表示装置の機能構成を示すブロック図。
【図２】画像表示装置のハードウェア構成を説明する図。
【図３】画像表示装置の外観を示す図。
【図４】画像表示装置において、人物の手の動きに合わせた処理の流れを説明するフローチャート。
【図５】ユーザーの手の動きに対する画像表示装置の動作を説明する図。
【発明を実施するための形態】
【０００９】
以下、画像表示装置について図面を参照して説明する。
【００１０】
（実施形態）
図１は、画像表示装置１０の機能構成を示すブロック図である。この画像表示装置１０は、検出手段２０、発光制御手段２５、発光手段３０、案内バー表示制御手段２８、コンテンツ表示制御手段３５、表示手段４０およびコンテンツ入力手段４５を備え、ユーザーの指示に応じて所望のコンテンツを表示することができる。
検出手段２０は、人物の部位の接近を検出する。尚、本実施形態では、人物の部位は、手を想定するが、これに限定されない。この検出手段２０は、人物の手の接近を検出した場合、発光制御手段２５、案内バー表示制御手段２８およびコンテンツ表示制御手段３５に対して、人物の手の接近を示す検出信号を送る。
発光制御手段２５は、検出手段２０から送られる検出信号に応じて、所定の光を発光する発光手段３０の発光輝度を制御する。また、案内バー表示制御手段２８は、検出手段２０から送られる検出信号に応じて、直線状の光束であって表示手段４０に表示される案内バー９５（図３）および表示手段４０の周縁部の照度を制御する。また、コンテンツ表示制御手段３５は、コンテンツ入力手段４５から入力されたコンテンツを表示手段４０に表示させ、検出手段２０から送られる検出信号に応じて、表示手段４０に表示しているコンテンツの表示を変更させるべく制御する。尚、本実施形態では、コンテンツは写真を想定するが、これに限定されるものではなく、文書、動画等であっても良い。
【００１１】
本実施形態では、検出手段２０が人物の手の接近を検出した場合、発光制御手段２５は、発光手段３０の発光輝度を所定値だけ明るくし、更に手の接近を検出する場合、発光制御手段２５は発光手段３０の発光輝度を更に明るくする。この際、発光手段３０の発光する色を変化させても良い。
また、案内バー表示制御手段２８は、検出手段２０が手の接近を所定の時間に渡り検出した場合、表示手段４０の周縁部のうち、接近する手に近い側の照度を上げる。また、検出手段２０が手の接近を更に所定の時間に渡り検出した場合、案内バー表示制御手段２８は、照度を上げた周縁部に案内バー９５（図３）を表示し、この周縁部から他方の周縁部に向かって手を移動させるべく案内する。この場合、手の動きに合わせて案内しても良く、手よりも先に先導して案内しても良い。
また、コンテンツ表示制御手段３５は、案内バー９５（図３）の動きに応じてコンテンツの表示を切り替える。
【００１２】
次に、図２は画像表示装置１０のハードウェア構成を説明する図であり、図３は画像表示装置１０の外観を示す図である。
図２に示すように、この画像表示装置１０のハードウェア構成は、制御プログラムに基づいて演算および装置全体を制御するＣＰＵ（Ｃｅｎｔｒａｌ  Ｐｒｏｃｅｓｓｉｎｇ  Ｕｎｉｔ）７０と、所定領域にあらかじめＣＰＵ７０の制御プログラム等を格納しているＲＯＭ（Ｒｅａｄ  Ｏｎｌｙ  Ｍｅｍｏｒｙ）７５と、ＲＯＭ７５等から読み出したデータやＣＰＵ７０の演算過程で必要な演算結果を格納するためのＲＡＭ（Ｒａｎｄｏｍ  Ａｃｃｅｓｓ  Ｍｅｍｏｒｙ）８０と、コンテンツのデータやコンテンツを表示させるためのプログラム等を格納しているＳＳＤ（Ｓｏｌｉｄ  Ｓｔａｔｅ  Ｄｒｉｖｅ）８５と、外部デバイスに対してデータの入出力を媒介するＩ／Ｆ６５とで構成されている。これらは、データを転送するための信号線であるバス９０により、相互にデータが授受可能であるように接続されている。
Ｉ／Ｆ６５には、コンテンツの画像信号に基づいて画面を表示する表示パネル５０と、手の接近を検出可能な検出センサー１（６０Ａ）〜検出センサー４（６０Ｄ）と、所定の光を発光可能な表示ライト１（５５Ａ）〜表示ライト４（５５Ｄ）が接続されている。本実施形態では、検出センサー１（６０Ａ）〜検出センサー４（６０Ｄ）は、検出物までの距離に応じた電気信号を出力する赤外線センサーを採用し、表示ライト１（５５Ａ）〜表示ライト４（５５Ｄ）は、ＬＥＤを採用するが、これらに限定されるものではない。
【００１３】
また、画像表示装置１０は、図３に示すように、箱状の様態であり、一方の面に表示パネル５０が配置されると共に、この表示パネル５０の周囲の略中央部には、検出センサー１（６０Ａ）〜検出センサー４（６０Ｄ）と表示ライト１（５５Ａ）〜表示ライト４（５５Ｄ）とがそれぞれ対応して配置されている。このような画像表示装置１０は、例えば、壁面に固定されたり、机上に置かれたりする様態を想定し、ユーザーは、表示パネル５０の周囲に手を近づけることにより、検出センサー１（６０Ａ）〜検出センサー４（６０Ｄ）がユーザーの手の接近を検出し、検出したセンサーに対応する表示ライト１（５５Ａ）〜表示ライト４（５５Ｄ）の輝度が変化したり、表示パネル５０に表示されているコンテンツを変更したりする。
【００１４】
尚、本実施形態では、検出センサー１（６０Ａ）〜検出センサー４（６０Ｄ）と表示ライト１（５５Ａ）〜表示ライト４（５５Ｄ）は、表示パネル５０が配置された面と同一な面に配置されているが、これに限定されるものではなく、表示パネル５０が配置された面と直交する側面に配置されても良く、表示パネル５０が配置された面と側面の両方にそれぞれ配置されても良い。更に、これらの検出センサー６０毎にコンテンツに対する操作を関連付けても良い。例えば、手が案内バー９５に案内されて、左右方向に移動する場合、左右方向の検出センサー６０Ｂ，６０Ｄは、手を所定の時間差でそれぞれ検出するため、コンテンツとしてフォルダー毎に管理された写真ファイルを想定する場合、例えば、同じフォルダー内における写真の表示切替えに関連付けても良い。また、手が案内バー９５に案内されて、上下方向に移動する場合、上下方向の検出センサー６０Ａ，６０Ｃは、手を所定の時間差でそれぞれ検出するため、このような場合は、例えば、他のフォルダーの写真への切り替えに関連付けても良い。
上述した各機能手段は、これらのハードウェアとソフトウェアとが協働することにより、それぞれの機能を実現している。
【００１５】
図４は、画像表示装置１０において、人物の手の動きに合わせた処理の流れを説明するフローチャートであり、図５も参照して説明する。最初に、処理が開始されると、ＣＰＵ７０は、図５（ａ）に示すように、ユーザー等からの指示に基づき、コンテンツを表示パネル５０に表示する（ステップＳ１００）。次に、ＣＰＵ７０は、検出センサー１（６０Ａ）〜検出センサー４（６０Ｄ）がユーザーの手の接近を検出したか、否かを判定し（ステップＳ１０５）、手の接近が検出されない場合（ステップＳ１０５でＮｏ）、この工程（ステップＳ１０５）を繰り返す。他方で、手の接近が検出された場合（ステップＳ１０５でＹｅｓ）、ＣＰＵ７０は、図５（ｂ）に示すように、手の接近を検出した検出センサー６０Ｂに対応する表示ライト５５Ｂの輝度を、検出センサー６０Ｂからの出力信号に応じて所定値だけ明るくする（ステップＳ１１０）。加えて、ＣＰＵ７０は、輝度が上昇した表示ライト５５に近い表示パネル５０の端部領域９８を明るくする（ステップＳ１１５）。
次に、ＣＰＵ７０は、手と検出センサー６０とが更に接近し、両者の距離が更に縮まっているか、否かを判定する（ステップＳ１２０）。ここで、手と検出センサー６０との距離が更に縮まっていないと判定された場合（ステップＳ１２０でＮｏ）、一連の処理を終了する。他方で、手と検出センサー６０との距離が更に縮まっていると判定された場合（ステップＳ１２０でＹｅｓ）、ＣＰＵ７０は想定した距離まで接近したか、否かを判定する（ステップＳ１２５）。ここで、想定した距離まで接近していないと判定された場合（ステップＳ１２５でＮｏ）、ＣＰＵ７０は、ステップＳ１１０に戻る。
【００１６】
他方で、想定した距離まで接近したと判定された場合（ステップＳ１２５でＹｅｓ）、ＣＰＵ７０は、図５（ｃ）に示すように、明るい表示パネル５０の端部領域９８を通常の状態に戻し、表示パネル５０に案内バー９５を表示し、案内バー９５を水平方向に移動させる（ステップＳ１３５）。次に、ＣＰＵ７０は、案内バー９５の移動方向に配置されている検出センサー６０Ｄの検出信号の有無から、手が案内バー９５に追従して移動したか、否かを判定する（ステップＳ１３５）。
ここで、手が案内バー９５に追従して移動しないと判定された場合（ステップＳ１３５でＮｏ）、一連の処理を終了する。他方で、手が案内バー９５に追従して移動したと判定された場合（ステップＳ１３５でＹｅｓ）、ＣＰＵ７０は、図５（ｄ）に示すように、手の動きに関連付けられた操作をコンテンツに対して実行し（ステップＳ１４０），一連の処理を終了する。
【００１７】
以上述べたように、ユーザーは、画像表示装置１０に触れることなく、手を画像表示装置１０に接近させ、案内バー９５に従い移動させるだけで、所定の操作を実行させることが出来る。この際、手を近づけた側の表示ライト５５の輝度が変化した後、表示ライト５５に近い表示パネル５０の端部近傍が明るくなると共に、表示パネル５０に案内バー９５が表示され、この案内バー９５がユーザーの手の移動を案内する。従って、ユーザーは、近づけた手を画像表示装置１０が認識したことを視認できると共に、近づけた手は案内バー９５まで自然な流れで導かれ、手を移動すべき方向とタイミングが案内バー９５により教示される。この結果、手を移動すべき方向やタイミングがわからないため、一度動かした手を戻してしまうことにより生じる画像表示装置１０の誤動作を回避できることから、画像表示装置１０の操作性を向上させることができる。更に、表示ライト５５の輝度変化や、表示パネル５０への案内バー９５の出現方法は、ユーザーに対して手の動きとの一体感を与え、画像表示装置１０に対する親和性を向上させることができる。
【００１８】
本発明の実施形態について、図面を参照して説明したが、具体的な構成は、この実施形態に限られるものではなく、本発明の要旨を逸脱しない範囲の設計変更等も含まれる。例えば、本実施形態では、検出センサー６０は、対象物までの距離を測定する測距センサーを採用したが、対象物が所定の検出範囲にあるか、否かを判定するＯＮ／ＯＦＦタイプのセンサーであっても良い。また、表示ライト５５から所定の範囲の波長を含む光を放射し、検出センサー６０は所定の範囲の波長に対して優れた検出特性を有し、外乱光による誤動作を低減しても良い。更に、案内バー９５は、直線状の光束に限定されず、種々の形状を有する像であっても良い。また、ユーザーの手による操作を行う対象は、音楽の選曲や音量調整であっても良い。
【符号の説明】
【００１９】
１０…画像表示装置、２０…検出手段、２５…発光制御手段、２８…案内バー表示制御手段、３０…発光手段、３５…コンテンツ表示制御手段、４０…表示手段、４５…コンテンツ入力手段、５０…表示パネル、５５…表示ライト、５５Ａ…表示ライト１、５５Ｂ…表示ライト２、５５Ｃ…表示ライト３、５５Ｄ…表示ライト４、６０…検出センサー、６０Ａ…検出センサー１、６０Ｂ…検出センサー２、６０Ｃ…検出センサー３、６０Ｄ…検出センサー４、６５…Ｉ／Ｆ、７０…ＣＰＵ、７５…ＲＯＭ、８０…ＲＡＭ、８５…ＳＳＤ、９０…バス、９５…案内バー、９８…端部領域。
【図１】
2010205003.tif 000003
【図２】
2010205003.tif 000004
【図３】
2010205003.tif 000005
【図４】
2010205003.tif 000006
【図５】
2010205003.tif 000007